(57)【要約】【課題】  窓部のガラス板を布等で清掃する際、無理な力が掛かっても、ガラス板を挟持する枠部からのガラス板のずり落ちをなくして、外れを確実に防止することができ、しかも外れ防止を安価に実施し、外観を損なうこともないグリル扉である。【解決手段】  グリル扉１０は、ガラス板１５と、ガラス板の下端を除く周囲三方を挟持する枠部１４と、枠部の下方に延設された、その後面にグリル皿を載置した載置枠の前端が着脱自在に取付けられる係止部１６と、前面に把手部１２を有するとともに、係止部の前面に取付けられて、その上端でガラス板の下端を支持する前面パネル１３とからなる。この枠部の両側各側部１４ｂ下部に爪曲げ片２１を設け、好ましくは更に爪曲げ片２２をも設け、爪曲げ片をそれぞれガラス板１５の両側各側の下端および下部前面に当接させて、ガラス板の下部を係止させた。ガラス板１５に無理な力が掛かって、パネル１３上端との間に隙間ができても、枠部からのガラス板のずり落ちをなくし、枠部からの外れを確実に防止できる。【選択図】        図４
2006006659.tif 000002
【特許請求の範囲】
【請求項１】
グリルの焼成庫内に出し入れ自在に収容されるグリル皿の前端または前記グリル皿を載置した載置枠の前端に着脱自在に取付けられる、前記焼成庫の前面の開口を開閉するグリル扉であって、
ガラス板と、前記ガラス板の下端を除く周囲三方を挟持する枠部と、前記枠部の下方に延設された、その後面に前記グリル皿の前端または前記載置枠の前端が取付けられる係止部と、前面に把手部を有するとともに、前記係止部の前面に取付けられて、その上端で前記ガラス板の下端を支持する前面パネルとからなるグリル扉において、
前記枠部の下部に、前記ガラス板の下部を係止する係止部を設けたことを特徴とするグリル扉。
【請求項２】
前記枠部の両側の下部に、前記ガラス板の両側の下端に当接することによって、前記ガラス板の両側の下部を係止する爪曲げ片を設けたことを特徴とする請求項１記載のグリル扉。
【請求項３】
前記枠部の両側の下部に、前記ガラス板の両側の下部前面に当接する爪曲げ片をさらに設けたことを特徴とする請求項２記載のグリル扉。
【請求項４】
前記枠部の両側部の間の部分の下部に、前記ガラス板の下端および下部前面に当接することによって、前記ガラス板の両側の下部を係止する爪曲げ片を設けたことを特徴とする請求項１記載のグリル扉。
【発明の詳細な説明】
【技術分野】
【０００１】
本発明は、ガスこんろ等の加熱調理器に設置されるグリルのグリル扉に関する。
【背景技術】
【０００２】
ガスこんろ等の加熱調理器のグリルとして、内部に熱源が設けられた焼成庫内にグリル皿を載置枠に載せて出し入れ自在に収納し、グリル皿の前端に焼成庫の前面の開口を開閉するグリル扉を取付けた構成のものが知られている（例えば特許文献１参照）。
このグリル扉では、図５に示すように、金属板（扉板）の上部に設けた枠部ａでガラス板ｂの下端を除く周囲三方を挟持して窓部を形成するとともに、扉板の下部の係止部ｃの前面に前面パネルｄをそれらの上部でねじ止めし、係止部ｃの後面に図示しない載置枠およびその上に載せたグリル皿ｅの前端の取付け枠ｅ１を取付けるようになっている。
前面パネルｄは樹脂成形品からなり、このパネルｄの前面にグリル皿ｃを引き出すための手で掴む把手部ｄ１を形成するとともに、パネルｄの上端を突条ｄ２に形成して、突条ｄ２によって枠部ａから露出したガラス板ｂの下端および下部前面を支持させている。
【特許文献１】実開平７−４４８１８号公報
【発明の開示】
【発明が解決しようとする課題】
【０００３】
しかしながら、ガラス板ｂを挟持する扉板の枠部ａは、扉板の係止部ｃの部分で前面パネルｄとねじ止めしているため、パネルｄに対し単にガラス板ｂの下端が片持ち状態で載って固定されているだけである。このため、グリル庫からグリル皿ｅを取り出し、グリル扉の窓部を清掃しようとして、グリル扉を前面パネルｄの部分で手で支えて、ガラス板ｂを布等で擦って力が掛かると、パネルｄの上端の突条ｄ２とガラス板ｂの下端との間を開こうとする力が働く。
【０００４】
このため、ガラス板ｂに無理な力が掛かると、前面パネルｄの突条ｄ２とガラス板ｂの下端との間に隙間ができてガラス板ｂが下にずり落ち、枠部ａからガラス板ｂが外れる恐れがある。またガラス板ｂが外れるのみならず、金属製の枠部ａも変形して、枠部ａの修理が不可能になることもある。ガラス板が外れてガラス板の端面が露出すると怪我したり、清掃の際の力の加減でガラス板が誤って床に落下して、ガラス板を割る原因にもなる。
【０００５】
ガラス板ｂの外れを防止するには、樹脂製の前面パネルｄにガラス板ｂの前面側と同様、ガラス板ｂの裏面側に沿った立壁を設けることも考えられるが、同様に力が掛かった場合、樹脂が割れてしまい、ガラス板ｂの外れを防止できない。枠部ａや前面パネルｄにガラス板ｂのはずれ防止のための部品を追加取付する方法も考えられるが、近年すっきりしたデザインが好まれるグリル扉の外観を損ねてしまう恐れがあり、コストも上がってしまう。
【０００６】
したがって、本発明は、扉窓部のガラス板を布等で擦って清掃する際、ガラス板に無理な力が掛かっても、ガラス板を挟持する枠部からガラス板がずり落ちるのをなくして、枠部からのガラス板の外れを確実に防止でき、しかもその外れ防止を安価な方法で実施でき、外観のデザインを損なうこともないグリル扉を提供することである。
【課題を解決するための手段】
【０００７】
上記課題は本発明によって達成される。要約すれば、本発明は、グリルの焼成庫内に出し入れ自在に収容されるグリル皿の前端または前記グリル皿を載置した載置枠の前端に着脱自在に取付けられる、前記焼成庫の前面の開口を開閉するグリル扉であって、ガラス板と、前記ガラス板の下端を除く周囲三方を挟持する枠部と、前記枠部の下方に延設された、その後面に前記グリル皿の前端または前記載置枠の前端が取付けられる係止部と、前面に把手部を有するとともに、前記係止部の前面に取付けられて、その上端で前記ガラス板の下端を支持する前面パネルとからなるグリル扉において、前記枠部の下部に、前記ガラス板の下部を係止する係止部を設けたことを特徴とする。
【０００８】
本発明によれば、前記係止部として、前記枠部の両側の下部に、前記ガラス板の両側の下端に当接することによって、前記ガラス板の両側の下部を係止する爪曲げ片を設けることができる。前記枠部の両側の下部に、前記ガラス板の両側の下部前面に当接する爪曲げ片をさらに設けることができる。あるいは、前記枠部の両側部の間の部分の下部に、前記ガラス板の下端および下部前面に当接することによって、前記ガラス板の両側の下部を係止する爪曲げ片を設けることができる。
【０００９】
本発明では、ガラス板の周囲三方を挟持する枠部の下部に設けた爪曲げ片によってガラス板の下部を係止しているので、窓部のガラス板を布等で擦って清掃する際、ガラス板に無理な力が掛かって、前面パネルの上端とガラス板の下端との間に隙間ができても、枠部からガラス板がずり落ちるのをなくすことができ、枠部からのガラス板の外れを確実に防止することができる。また爪曲げ片によってガラス板の外れを防止するので、外れ防止のための別部品を設ける場合とは違って、グリル扉の外観を損なうことがなく、爪曲げ片自体も、枠部の両側等の下部に切り曲げ等の板金工作によって作製できるので、ガラス板の外れ防止を安価に実施することができる。
【発明の効果】
【００１０】
本発明のグリル扉によれば、窓部のガラス板を布等で強く擦っても、ガラス板を挟持する枠部からのガラス板の外れを生じることなく、ガラス板を安心して清掃することができ、しかも外れ防止を安価な方法で実施でき、グリル扉の外観のデザインを損なうこともない。
【発明を実施するための最良の形態】
【００１１】
以下、図面を参照して本発明の実施例を詳述する。図１は、本発明のグリル扉を適用したグリルを備えたガスこんろを示す斜視図である。ガスこんろ１は、こんろ本体２の上面の開口を塞ぐ天板３に、こんろ本体２内に設置された左右の大バーナ４ａ、４ｂおよびそれらの間の後方の小バーナ４ｃを臨ませている。こんろ本体２内の中央にはグリル７が設置され、こんろ本体２の前面の２分割された操作パネル５の間にグリル７の扉１０を臨ませている。操作パネル５には、バーナ４ａ〜４ｃ、グリル７の点火ボタン６ａ〜６ｄおよび火力調節レバー等が設けられている。
【００１２】
グリル７は、図２および図３に示すように、グリル皿８と、該グリル皿８を載置するとともにこれに係合したスイングアーム（載置枠）９と、スイングアーム９の前端に取付けられた前記のグリル扉１０とを備え、こんろ本体２内に区画した内部に熱源を有する焼成庫（グリル庫）に、グリル皿８をスイングアーム９に載せて出し入れ自在に収納してなっており、グリル皿８の出し入れ時、グリル扉１０によって焼成庫の前面の開口が開閉される。
【００１３】
グリル扉１０は、焼成庫内を覗くための窓部１１と、その窓部１１の下の、グリル皿８を手で引き出すための把手部１２が設けられた前面パネル１３とから形成されている。窓部１１は、金属板（扉板）の上部に長方形の開口を有する枠部１４を形成し、この枠部１４によってガラス板１５を挟持してなっている。枠部１４は開口部周囲で絞りを入れることによって、枠部１４の開口部周囲でガラス板１５の裏面に当接し、枠部１４の上部フレーム１４ａは、開口ガラス板１５の上部前面および上端に当接する鈎状に折曲され、枠部１４の左右両側の側部フレーム１４ｂは、ガラス板１５の両側端に当接する鈎状に折曲されている。枠部１４の下部フレーム１４ｃ（図４）は、ガラス板１５の下部裏面の内側寄りの部分にのみ当接する段部状に折曲され、ガラス板１５の下端は下部フレーム１４ｃから略下方に延出している。
【００１４】
扉板の枠部１４ｃに続く下部は、図４（ａ）に示すように、その前面に前面パネル１３を取付ける係止部１６に形成されている。係止部１６の後面には、グリル皿８を載置するスイングアーム９の前端が取付けられる。前面パネル１３は、前面に前記の把持部１２を有する樹脂成形品からなり、パネル１３の裏面上部の両側に設けたねじ孔を有するボス部１７に、係止部１６の上部に設けた開口孔１８からねじを挿通することによって、係止部１６にパネル１３が螺着される。前面パネル１３の上端のボス部１７の間は突条１９になっており、係止部１６にパネル１３を取付けることによって、該突条１９でガラス板１５の下端を支持している。さらに、前面パネル１３の上端の前面側は上方に延びて、ガラス板１５の下部前面を支持するとともに覆う目隠し用の立壁２０に形成されている。
【００１５】
さて、ガラス板１５の周囲三方を挟持する枠部１４は、係止部１６の部分で前面パネル１３とねじ止めしているため、パネル１３に対し片持ち状態で固定したようになっている。このため、焼成庫からグリル皿８を取り出し、グリル扉１０の窓部１１を清掃しようとして、グリル扉１０を前面パネル１３の部分で手で支えて、ガラス板１５を布等で擦って力を掛けると、パネル１３の上端の突条１９とガラス板１５の下端との間を開こうとする力が働き、ガラス板１５に無理な力が掛かると、パネル１３の突条１９とガラス板１５の下端との間に隙間ができてガラス板１５が下にずり落ち、枠部１４からガラス板１５が外れる事態を招く恐れがある。
【００１６】
そこで、本発明では、枠部１４の下部に、ガラス板１５の下部を係止する係止部を設け、本実施例では、その係止部として、枠部１４の両側の側部フレーム１４ｂの下部を切り曲げ加工して、図４（ａ）に示すように、フレーム１４ｂの下部に爪曲げ片２１を設け、爪曲げ片２１によってガラス板１５の両側各側の下端に当接することによって、ガラス板１５の下部を両側部において係止させるようにした。好ましくは、さらにフレーム部１４ｂの下部に爪曲げ片２２を設けて、爪曲げ片２２をガラス板１５の下部前面に当接させると、ガラス板１５の下部の係止がより堅固になる。
【００１７】
したがって、本実施例のグリル扉１０によれば、窓部１１の清掃で、ガラス板１５に無理な力が掛かって、前面パネルの上端の突条１９とガラス板１５の下端との間に隙間ができても、枠部１４からガラス板１５がずり落ちるのをなくすことができ、枠部１４からのガラス板１５の外れを確実に防止することができる。また爪曲げ片２１等によってガラス板１５の外れを防止するので、外れ防止のための別部品を設ける場合とは違って、グリル扉１０の外観を損なうことがない。前面パネル１３の上端に立壁２０を設けた場合には、立壁２０で爪曲げ片２１、２２を覆い隠すことによって、グリル扉１０の外観を向上することができる。爪曲げ片２１、２２自体も、枠部１４の側部フレーム１４ｂの下部に切り曲げによって作製できるので、ガラス板の外れ防止を安価に実施することができる。
【００１８】
ガラス板１５の係止部として、図４（ｂ）に示すように、枠部１４の側部フレーム１４ｂの間の下部フレーム１４ｃの左右２〜３箇所、あるいは中央部１箇所に、切り起こしによって爪曲げ片２３を設けて、爪曲げ片２３をガラス板１５の下端および下部前面に当接することによって、ガラス板１５の下部を係止するようにしてもよい。本実施例によっても、上記の実施例と同様、ガラス板の確実な外れ防止を安価に実施でき、グリル扉の外観を損うこともない。
【００１９】
なお、以上の実施例において、枠部１４の上部フレーム１４ａを枠部１４とは別体に設けて、別体の上部フレームを外して枠部に上からガラス板１５を差し込めるようにし、別体の上部フレームを裏面側から枠部にねじ止めにするようにしておけば、ガラス板１５の取替えが可能になり、有益である。
【００２０】
また実施例では、グリル皿８は、スイングアーム９に載せて焼成庫内に出し入れ自在のものとしたが、グリル皿は、スイングアームを用いずに焼成庫内に出し入れする形式のものであってもよく、その場合には、グリル皿の前端にグリル扉１０が取付けられる。
【００２１】
以上、本発明の実施例を説明したが、本発明は実施例のものに限定されるものではなく、必要に応じて種々変更することが可能である。
【図面の簡単な説明】
【００２２】
【図１】本発明のグリル扉を適用したグリルを備えるガスこんろを示す斜視図である。
【図２】図１のグリルのグリル扉を示す斜視図である。
【図３】図２のグリル扉の分解斜視図である。
【図４】図３のグリル扉のガラス板の枠部の下部にガラス板の下部を係止する爪曲げ片を設けたことを示す斜視図で、枠部の側部フレームの下部に爪曲げ片を設ける場合（同図ａ）と枠部の下部フレームに爪曲げ片を設ける場合（同図ｂ）である。
【図５】従来のグリル扉を示す断面図である。
【符号の説明】
【００２３】
７  グリル                        １０  グリル扉
１２  把手部                        １３  前面パネル
１４  枠部                          １５  ガラス板
１６  係止部                        １７  ボス部
１８  開孔                          １９  突条
２０  立壁                          ２１〜２３  爪曲げ片
【図１】
2006006659.tif 000003
【図２】
2006006659.tif 000004
【図３】
2006006659.tif 000005
【図４】
2006006659.tif 000006
【図５】
2006006659.tif 000007